(57)【要約】【課題】収納装置をより小型化しつつ、収納装置に対して電気掃除機を容易に着脱できる電気掃除装置を提供する。【解決手段】電気掃除装置10は、電気掃除機11と、収納装置12とを有する。電気掃除機11は、電動送風機を収納する掃除機本体15を備える。電気掃除機11は、掃除機本体15の前端側に設けられた接続部29を備える。収納装置12は、接続部29を保持する保持部64を備える。収納装置12は、上下方向に沿う設置面Ｐに取り付けられて電気掃除機11を収納する。接続部29と保持部64とのいずれか一方は凸部で、他方はこの凸部と嵌合する凹部である。保持部64は、上側が設置面Ｐとは反対方向に向かって回動可能に設けられ、この回動により接続部29の保持を解除可能である。【選択図】図１
2018068942.tif 000002
【特許請求の範囲】
【請求項１】
電動送風機を収納する掃除機本体、および、この掃除機本体の前端側に設けられた被保持部を備えた電気掃除機と、
前記被保持部を保持する保持部を備え、上下方向に沿う設置面に取り付けられて前記電気掃除機を収納する収納装置とを具備し、
前記被保持部と前記保持部とのいずれか一方は凸部で、他方はこの凸部と嵌合する凹部であり、
前記保持部は、上側が前記設置面とは反対方向に向かって回動可能に設けられ、この回動により前記被保持部の保持を解除可能である
ことを特徴とした電気掃除装置。
【請求項２】
保持部は、設置面から離れる方向へと移動可能で、この移動方向へと所定量移動した位置で上側が前記設置面とは反対方向に向かって回動可能に設けられている
ことを特徴とした請求項１記載の電気掃除装置。
【請求項３】
収納装置は、電気掃除機をこの収納装置から取り外す際に前記電気掃除機を移動させる方向へとガイドするガイド部を備えている
ことを特徴とした請求項２記載の電気掃除装置。
【請求項４】
電気掃除機は、掃除機本体に接続され電動送風機の吸込側と連通する風路体を備え、
収納装置は、前記風路体を前記掃除機本体に接続した状態で保持部が前記電気掃除機の被保持部を保持可能となっている
ことを特徴とした請求項１ないし３いずれか一記載の電気掃除装置。
【請求項５】
収納装置は、電気掃除機の風路体の先端側が設置面側に接近するように前記電気掃除機を収納する
ことを特徴とした請求項４記載の電気掃除装置。
【請求項６】
電気掃除機は、
電動送風機に給電する二次電池と、
被保持部に設けられ前記二次電池と電気的に接続された充電端子部とを備え、
収納装置は、保持部に設けられこの保持部での前記被保持部の保持によって前記充電端子部と接続されることで前記二次電池を充電可能とする充電端子を備えている
ことを特徴とした請求項１ないし５いずれか一記載の電気掃除装置。
【請求項７】
掃除機本体は、
電動送風機を収納する本体部と、
この本体部に対して回動可能に設けられ、回動により前記本体部に対して着脱可能で、前記電動送風機の駆動により吸い込んだ塵埃を捕集する集塵部とを備え、
前記集塵部は、電気掃除機を収納装置に収納した状態で、前記本体部に対して保持部の回動軸よりも下方の位置に回動可能に軸支されている
ことを特徴とした請求項１ないし６いずれか一記載の電気掃除装置。
【発明の詳細な説明】
【技術分野】
【０００１】
本発明の実施形態は、上下方向に沿う設置面に取り付けられて電気掃除機を収納する収納装置を備えた電気掃除装置に関する。
【背景技術】
【０００２】
従来、二次電池を内蔵し、この二次電池を電源として動作する、いわゆるコードレスタイプの電気掃除機がある。この電気掃除機は、使用しないときには壁などに設置した収納装置に掛けておくことで、生活の邪魔にならないように収納できる。
【０００３】
電気掃除機を収納装置に収納する際には、本体部を収納装置に対して上方に押し込みながら下部に入れ込む、２アクションでの取り付けが必要な場合がある。このような構成では、電気掃除機の収納装置への着脱が煩雑になる。
【先行技術文献】
【特許文献】
【０００４】
【特許文献１】特許第５２２２３７５号公報
【発明の概要】
【発明が解決しようとする課題】
【０００５】
本発明が解決しようとする課題は、収納装置をより小型化しつつ、収納装置に対して電気掃除機を容易に着脱できる電気掃除装置を提供することである。
【課題を解決するための手段】
【０００６】
実施形態の電気掃除装置は、電気掃除機と、収納装置とを有する。電気掃除機は、電動送風機を収納する掃除機本体を備える。また、この電気掃除機は、掃除機本体の前端側に設けられた被保持部を備える。収納装置は、被保持部を保持する保持部を備える。この収納装置は、上下方向に沿う設置面に取り付けられて電気掃除機を収納する。被保持部と保持部とのいずれか一方は凸部で、他方はこの凸部と嵌合する凹部である。保持部は、上側が設置面とは反対方向に向かって回動可能に設けられ、この回動により被保持部の保持を解除可能である。
【図面の簡単な説明】
【０００７】
【図１】一実施形態の電気掃除装置の電気掃除機の収納装置への収納状態の一部を示す断面図である。
【図２】同上電気掃除装置の電気掃除機を収納装置に取り付ける状態の一部を示す断面図である。
【図３】同上電気掃除装置の電気掃除機を収納装置から取り外す状態の一部を示す断面図である。
【図４】同上電気掃除機の掃除機本体の断面図である。
【図５】同上電気掃除機の斜視図である。
【図６】同上収納装置の斜視図である。
【図７】同上収納装置の断面図である。
【図８】同上電気掃除機の収納装置への収納状態を示す側面図である。
【発明を実施するための形態】
【０００８】
以下、一実施形態の構成を図１ないし図８を参照して説明する。
【０００９】
図１において、10は電気掃除装置を示し、この電気掃除装置10は、電気掃除機11と、この電気掃除機11を掃除しない非使用時に上下方向に沿う収納状態で収納支持する支持装置としての収納装置(収納台)12とを備えている。
【００１０】
図１ないし図５に示す電気掃除機11は、掃除機本体15と、この掃除機本体15に接続された長尺状の風路体16とを備えた、いわゆるスティック型のコードレス電気掃除機である。
【００１１】
掃除機本体15は、本体部21を備えている。また、この掃除機本体15は、本体部21に対して着脱可能な集塵部(集塵装置)22を備えている。さらに、この掃除機本体15は、電動送風機23を備えている。また、この掃除機本体15は、電動送風機23の動作を制御する制御手段(制御部)24を備えている。さらに、この掃除機本体15は、電動送風機23および制御手段24などの電源となる電源部としての電池である二次電池25を備えている。また、この掃除機本体15は、風路体16が接続される本体接続口26を備えている。さらに、この掃除機本体15は、この掃除機本体15(電気掃除機11)を保持するための本体保持部であるハンドル(把持部)27を備えている。また、この掃除機本体15は、電動送風機23の動作モードを設定する設定手段(設定部)としての設定ボタン28を備えている。さらに、この掃除機本体15は、収納装置12に保持される被保持部としての接続部29を備えている。また、この掃除機本体15は、集塵部22とそれぞれ連通する第１連通口31と第２連通口32とを備えている。さらに、この掃除機本体15は、電動送風機23の排気を排出する排気口(図示せず)を備えている。そして、この掃除機本体15の内部には、本体接続口26と第１連通口31とを連通し、第２連通口32と電動送風機23の吸込側とを連通し、この電動送風機23の排気側と排気口とを連通するように風路が形成されている。
【００１２】
なお、電気掃除機11は、掃除機本体15および風路体16を前方下側に傾斜させて向けた図５に示す状態が使用状態、掃除機本体15および風路体16を略上下方向に沿わせた図８に示す状態が収納状態となるが、説明をより明確にするため、以下、電気掃除機11は、風路体16側を下側として鉛直上下方向に沿った直立状態を基準として上下方向、前後方向および左右方向を説明する。すなわち、矢印Ｕおよび矢印Ｄ方向を上下方向、矢印FR方向および矢印RR方向を前後方向、および、矢印Ｌ方向および矢印Ｒ方向を左右方向と定義する。
【００１３】
本体部21は、全体として上下に長手状に形成されている。この本体部21には、電動送風機23、制御手段24、二次電池25がそれぞれ収容されている。また、この本体部21には、本体接続口26が開口されている。さらに、この本体部21には、ハンドル27が突設されている。また、この本体部21には、接続部29が凹設されている。さらに、この本体部21には、第１連通口31および第２連通口32が開口されている(図４)。また、この本体部21には、排気口が開口されている。さらに、この本体部21には、受け部35が凹設されている。この受け部35は、集塵部22を本体部21に着脱する際の支点となる部分である。この受け部35は、本体部21の前部に位置して集塵部22に対向している。また、この受け部35は、第１連通口31よりも下方に位置している。
【００１４】
集塵部22は、電動送風機23の吸込側に連通し、この電動送風機23の動作により吸い込んだ塵埃を捕集するものである。この集塵部22は、例えば電動送風機23の動作により空気とともに吸い込んだ塵埃を空気から遠心分離(サイクロン分離)する、サイクロン分離式の集塵カップである。この集塵部22は、この集塵部22を本体部21に係止するための集塵係止部41を備えている。この集塵係止部41は、本実施形態では例えば集塵部22の上端部に設けられているが、本体部21側に設けられていてもよい。さらに、この集塵部22は、集塵吸込口42と集塵排気口43とを備えている。これら集塵吸込口42および集塵排気口43は、集塵部22を本体部21に取り付けた状態で第１連通口31および第２連通口32と連通する。したがって、この集塵部22は、本体部21に取り付けた状態で電動送風機23の吸込側と連通される。また、この集塵部22は、本体部21に取り付けた状態で本体接続口26(風路体16)の下流側に接続される。さらに、この集塵部22には、支点部44が突設されている。この支点部44は、受け部35に挿入係止され、本体部21に対して集塵部22を着脱するときの支点となるものである。本実施形態において、この支点部44は、本体部21に対して集塵部22を着脱するときの回動支点となっている。すなわち、集塵部22は、本体部21に対して回動可能に設けられている。本実施形態において、この集塵部22は、支点部44により前後方向に回動可能に軸支されている。そして、この支点部44は、集塵部22の下部後側に突設されている。
【００１５】
電動送風機23は、電動機とこの電動機により回動されるファンとを備えている。電動機は、例えばブラシレスモータが用いられる。
【００１６】
制御手段24は、例えばマイコンなどを備えた制御基板である。この制御手段24は、例えば電動送風機23などを設定ボタン28による使用者の設定にしたがって動作させる駆動制御部を備えている。
【００１７】
二次電池25は、例えば複数の電池を備える電池パックである。
【００１８】
本体接続口26は、風路体16と掃除機本体15とを連通する連通口である。この本体接続口26は、本体部21の下端部に位置している。すなわち、この本体接続口26は、掃除機本体15の下部に設けられている。
【００１９】
ハンドル27は、掃除機本体15(本体部21)の上部前側に位置している。また、このハンドル27の前部には、設定ボタン28が配置されている。
【００２０】
設定ボタン28は、例えばハンドル27の下側寄りに位置している。この設定ボタン28は、ハンドル27を把持した使用者がその把持した手の親指などにより押し操作可能となっている。
【００２１】
接続部29は、本体接続口26の後方にて本体部21に設けられている。より詳細に、この接続部29は、本体接続口26の上方後側に配置されている。この接続部29は、掃除機本体15の下端側に設けられている。また、この接続部29は、下方に向かって開口されている。したがって、この接続部29は、本体接続口26と同方向に向かって開口された凹部である。さらに、この接続部29の内部には、二次電池25の充電用の充電端子部46が配置されている。すなわち、電気掃除機11は、充電端子部46を備えている。この充電端子部46は、二次電池25と電気的に接続されている。また、この充電端子部46は、接続部29の内部にて下方に向けてピン状に突設されている。
【００２２】
第１連通口31および第２連通口32は、掃除機本体15(本体部21)の前部に位置している。そして、これら第１連通口31と第２連通口32とは、上下に並んで配置されている。さらに、これら第１連通口31と第２連通口32とは、本体部21に集塵部22を取り付けた状態で、集塵部22を介して互いに連通されるようになっている。
【００２３】
排気口は、例えば掃除機本体15の下側寄りの両側に配置されている。なお、この排気口は、図示されないフィルタにより覆われていてもよい。
【００２４】
また、風路体16は、内部に風路を区画し、掃除機本体15に接続された状態で電動送風機23の吸込側と連通する。この風路体16は、長尺状の延長管51を備えている。また、この風路体16は、吸込口体を先端側(上流側)に備えていてもよい。この吸込口体としては、任意のものを用いることができるが、本実施形態では例えば吸込口体としての床ブラシ52が用いられる。そして、風路体16は、全体として略直線状に形成されている。
【００２５】
延長管51は、基端側である上端側が掃除機本体15に接続されて集塵部22と気密に接続されるようになっている。例えば、この延長管51は、上端側が本体接続口26に接続され、この本体接続口26の開口方向に沿って位置する。すなわち、この延長管51は、掃除機本体15の長手方向である上下方向に沿って配置される。また、この延長管51は、掃除機本体15(本体部21)に設けられたクランプ54によって着脱可能に保持される。
【００２６】
床ブラシ52は、ケース体56を備えている。また、この床ブラシ52は、接続管57を備えている。ケース体56は、横長、すなわち左右方向に長手状に形成されている。また、このケース体56には、被掃除面に対向して、図示されない吸込口が開口されている。また、接続管57は、ケース体56に回動可能に接続されている。さらに、接続管57は、吸込口に連通し、延長管51の先端側に気密に接続される。そして、この床ブラシ52は、延長管51の先端側に接続される。例えば、この床ブラシ52は、接続管57が延長管51に挿入接続される。また、この床ブラシ52は、延長管51に設けられた床ブラシクランプ59により延長管51の接続が保持されるようになっている。
【００２７】
なお、電気掃除機11は、風路体16を取り外して掃除機本体15のみで使用することにより、本体接続口26を吸込口とするハンディ型(携帯型)の電気掃除機として用いることもできる。
【００２８】
一方、図１、図６ないし図８に示す収納装置12は、壁面などの上下方向に沿う所定の設置面Ｐに設置される壁掛け台である。そして、この収納装置12は、風路体16を掃除機本体15に接続した状態の電気掃除機11を保持可能となっている。具体的に、この収納装置12は、風路体16を掃除機本体15に接続した状態の電気掃除機11を吊り下げ支持するようになっている。以下、収納装置12は、鉛直な設置面Ｐに設置した状態を基準として上下方向、前後方向および左右方向をそれぞれ説明する。すなわち、この収納装置12についても、電気掃除機11と同様に、矢印Ｕおよび矢印Ｄ方向を上下方向、矢印FR方向および矢印RR方向を前後方向、および、矢印Ｌ方向および矢印Ｒ方向を左右方向と定義する。
【００２９】
この収納装置12は、収納装置本体61を備えている。また、この収納装置12は、取付部62を備えている。さらに、この収納装置12は、電気掃除機11(掃除機本体15)を収納する収納空間部63を備えている。また、この収納装置12は、接続部29を保持する保持部64を備えている。また、この収納装置12は、呼び込み部65を備えている。さらに、この収納装置12は、ガイド部66を備えている。なお、この収納装置12は、二次電池25(図５)の充電状態を報知する報知手段としての充電ランプを備えていてもよい。
【００３０】
収納装置本体61は、収納装置12に収納される電気掃除機11を直接受ける部分である。この収納装置本体61は、内部に収納空間部63を区画している。また、この収納装置本体61は、例えば半円筒状に形成されている。すなわち、この収納装置本体61は、両端および一側が開口された形状となっている。本実施形態において、この収納装置本体61は、上下両端部と前側とがそれぞれ開口されている。したがって、この収納装置本体61は、取付開口部71と、挿通開口部72と、取外開口部73とを備えている。これら開口部71〜73は、それぞれ収納空間部63と連通している。
【００３１】
取付開口部71は、収納装置12に対して電気掃除機11を取り付けるときに電気掃除機11を挿入する開口部である。この取付開口部71は、収納装置12の上端部に位置している。
【００３２】
挿通開口部72は、収納装置12に対して電気掃除機11を取り付けるときに風路体16(延長管51)を挿通する開口部である。この挿通開口部72は、収納装置12の下端部に位置している。
【００３３】
取外開口部73は、収納装置12に対して収納された電気掃除機11をこの収納装置12から取り外すときに電気掃除機11を引き出す開口部である。また、この取外開口部73は、収納装置12に収納された電気掃除機11の集塵部22を収納装置12の前側に露出させるものである。この取外開口部73は、収納装置12の前部、すなわち設置面Ｐ(取付部62)に対して反対側に位置している。
【００３４】
取付部62は、収納装置本体61を設置面Ｐに固定する部分である。この取付部62は、平板状に形成された取付部本体75と、この取付部本体75と収納装置本体61とを連結する連結部76とを一体に備えている。取付部本体75には、収納装置12を設置面Ｐに対してねじなどの固定部材によって取り付けるための取付穴77が厚み方向に貫通して開口されている。そして、この取付部62は、設置面Ｐに取り付けられた状態で、収納装置本体61を設置面Ｐの面方向に対して傾斜した状態に固定するようになっている。すなわち、この収納装置12の設置面Ｐへの取り付け状態で、収納装置本体61は、軸方向が鉛直上下方向に対して傾斜している。具体的に、この収納装置12の設置面Ｐへの取り付け状態で、収納装置本体61は、上端側が前側、下端側が後側となるように傾斜している。このため、収納装置12は、収納装置本体61がその軸方向に電気掃除機11の掃除機本体15(本体部21)の長手方向を沿わせるように収納することにより、電気掃除機11の風路体16の先端側が設置面Ｐ側に接近するように電気掃除機11を収納するように構成されている。
【００３５】
収納空間部63は、収納装置12に収納された電気掃除機11の掃除機本体15の一部を収納する部分である。具体的に、この収納空間部63は、収納装置12に収納された電気掃除機11の本体部21の一部を収納する部分である。
【００３６】
保持部64は、接続部29を保持することで電気掃除機11を収納装置12に保持するものである。本実施形態において、この保持部64は、凹部である接続部29に挿入される凸部である。この保持部64は、収納空間部63に位置している。また、この保持部64は、収納装置本体61の軸方向に対して略平行な方向に沿って長手方向を有している。さらに、この保持部64は、先端部である上端部が自由端状となっている。すなわち、この保持部64は、上端部が取付開口部71に向かって配置されている。本実施形態において、この保持部64の上端部は、取付開口部71に位置している。また、この保持部64は、収納装置本体61の上下方向の上側寄りに位置している。さらに、この保持部64の内部には、充電端子81が配置されている。すなわち、収納装置12は、充電端子81を備えている。また、この保持部64の上端部には、充電端子81と連通して挿入孔82が開口されている。さらに、この保持部64は、収納装置本体61に可動的に設けられている。この保持部64は、基端部である下端部がガイド部66に取り付けられて収納装置本体61に対して可動的となっている。具体的に、この保持部64は、設置面Ｐから離れる前方向、すなわち設置面Ｐに対して略垂直な方向へと略水平方向に沿って移動可能となっている。また、この保持部64は、前方向へと所定量移動した位置で上側が設置面Ｐとは反対方向、すなわち前方向に向かって倒れるように回動可能に設けられている。そして、この保持部64は、この回動により接続部29の保持を解除可能である。
【００３７】
充電端子81は、保持部64での接続部29の保持によって充電端子部46と接続されることで二次電池25(図５)を充電可能とするものである。具体的に、この充電端子81は、接続部29に挿入された保持部64の挿入孔82に充電端子部46が上方から挿入されることにより充電端子部46を電気的および機械的に接続されるようになっている。この充電端子81は、例えば図示されないＡＣ−ＤＣコンバータ(ＡＣ−ＤＣアダプタ)などに電気的に接続され、外部電源である商用交流電源からの充電用の電力を、充電端子部46を介して二次電池25(図５)に供給するようになっている。
【００３８】
呼び込み部65は、電気掃除機11を収納装置12の収納空間部63に呼び込むものである。この呼び込み部65は、例えば収納装置本体61の上端部に設けられている。すなわち、この呼び込み部65は、取付開口部71の周囲の上部に設けられている。したがって、この呼び込み部65は、上方から見て前側が開口されたＵ字状に形成されている。また、この呼び込み部65は、リブ状に形成されている。さらに、この呼び込み部65は、取付開口部71から上方に向かって拡開状に形成されている。したがって、この呼び込み部65は、上方から取り付けられる電気掃除機11の掃除機本体15(本体部21)の位置を下方に向かって取付開口部71に位置合わせするように構成されている。
【００３９】
ガイド部66は、保持部64を移動方向にガイドするとともにその上側を移動方向へと回動させるものである。したがって、このガイド部66は、保持部64をガイドすることにより、電気掃除機11を収納装置12から取り外す際に電気掃除機11を移動させる前方向へとガイドするものである。このガイド部66は、収納装置本体61に設けられている。このガイド部66は、収納空間部63に位置している。また、このガイド部66は、保持部64の下部寄りに位置している。そして、このガイド部66は、本実施形態においてガイドレールであり、上側ガイドレール85と下側ガイドレール86とが設定されている(図７)。
【００４０】
上側ガイドレール85は、保持部64の左右両側に位置している。この上側ガイドレール85は、前後方向に沿って設けられている。また、この上側ガイドレール85は、収納装置本体61に溝状に設けられ、保持部64の左右両側に突設された回動軸である被ガイド部としてのガイドピン(図示せず)がそれぞれ挿入されている。さらに、この上側ガイドレール85は、基端部である後端部から先端側である前端側に向かって略直線状に形成され、前端部が下方に向けて屈曲されている。
【００４１】
下側ガイドレール86は、保持部64の下部に位置し、この保持部64の下部を支持している。この下側ガイドレール86は、前後方向に沿って設けられている。また、この下側ガイドレール86は、収納装置本体61に板状に設けられている。さらに、この下側ガイドレール86は、基端部である後端部から先端部である前端部に向かって略直線状に形成されている。また、この下側ガイドレール86は、上側ガイドレール85に対して下方に離れて位置している。さらに、この下側ガイドレール86は、上側ガイドレール85と前後方向の長さが異なっている。本実施形態において、この下側ガイドレール86は、上側ガイドレール85よりも短く設定されている。このため、この下側ガイドレール86の前端部は、上側ガイドレール85の前端部よりも後方に位置している。換言すれば、上側ガイドレール85の前端部が、下側ガイドレール86よりも前方に延びている。そして、この上側ガイドレール85と下側ガイドレール86との長さ(各前端部の位置)の相違により、ガイド部66によって前方向にガイドされた保持部64が上側ガイドレール85の前端部の位置で前方に回動するように構成されている。
【００４２】
充電ランプは、例えば呼び込み部65の側部に設けられている。なお、この充電ランプは、例えば電気掃除機11(掃除機本体15)に設けられていてもよい。
【００４３】
次に、上記一実施形態の作用を説明する。
【００４４】
電気掃除機11を用いた掃除の際には、集塵部22を本体部21に装着した掃除機本体15に風路体16を接続する。この状態で、床ブラシ52が(延長管51、掃除機本体15の本体接続口26および第１連通口31を介して集塵部22と連通するとともに、この集塵部22、掃除機本体15の第２連通口32を介して)電動送風機23の吸込側と連通する。
【００４５】
そして、電気掃除機11では、ハンドル27を把持した使用者が床ブラシ52を被掃除面に載置し、ハンドル27の設定ボタン28を操作することで設定した動作で制御手段24が電動送風機23を駆動させるとともに、床ブラシ52を被掃除面上で前後方向や斜め方向などに交互に走行させながら、電動送風機23の駆動により生じた負圧を利用して被掃除面の塵埃を床ブラシ52の吸込口から空気とともに吸い込む。
【００４６】
この吸い込まれた含塵空気は、床ブラシ52から延長管51を介して掃除機本体15(本体部21)へと運ばれて集塵部22に吸い込まれ、この集塵部22にて塵埃が空気から分離される。この塵埃が分離された空気は集塵部22から本体部21へと排出され、電動送風機23に吸い込まれてこの電動送風機23を冷却した後、排気口から掃除機本体15の外部へと排出される。なお、電気掃除機11は、風路体16を取り外して本体接続口26から直接塵埃を吸い込んで掃除することもできるし、本体接続口26に別途の吸込ノズル(つる口)などの風路体を接続して掃除することもできる。
【００４７】
掃除が終了すると、使用者は設定ボタン28を操作して制御手段24により電動送風機23を停止させる。次いで、使用者は電気掃除機11を、設置面Ｐに予め取り付けた収納装置12に収納する。このとき、使用者がハンドル27を把持して電気掃除機11を鉛直上下方向に沿わせると、床ブラシ52のケース体56が自重によって接続管57に対して下方へと回動することで延長管51および接続管57と略一直線上に並んだ状態となる。この状態で、使用者は、電気掃除機11の長手方向を上下方向に沿わせて設置面Ｐに取り付けられた収納装置12に接近させ、収納装置12に対して前方上側から後方下側に向かって電気掃除機11を取り付ける。このとき、掃除機本体15は、図２に示すように呼び込み部65によって取付開口部71へと本体部21が呼び込まれて収納空間部63内へと導かれ、風路体16は延長管51が取外開口部73から挿通開口部72へと挿通され、さらに電気掃除機11を収納装置12に対して下方に向かってスライドさせると、図１に示すように接続部29に対して保持部64が下方から挿入嵌合されて電気掃除機11が収納装置12に保持されるとともに、充電端子部46が保持部64の挿入孔82に挿入されて充電端子81と電気的および機械的に接続され、二次電池25(図５)の充電が可能な状態となる。
【００４８】
この電気掃除機11を収納装置12に収納した収納状態で、図８に示すように収納装置本体61の傾斜に沿って風路体16の先端側である下端側が設置面Ｐに接近するように傾斜するとともに、風路体16の下端側に位置する床ブラシ52が設置面Ｐに対して接触しない状態(離れた状態)で保持され、かつ、先端側が床面に対して上方に離れる状態、または接する状態となる。本実施形態では、風路体16は、床ブラシ52が床面に対して上方に離れる状態、または接する状態となる。すなわち、この状態で、電気掃除機11は床面に対して風路体16によって下方から支持されない。換言すれば、電気掃除機11は、収納装置12によって吊り下げ支持された状態となる。
【００４９】
そして、収納装置12のＡＣ−ＤＣコンバータを商用交流電源に接続すると、二次電池25の充電が開始される。
【００５０】
このように、以上説明した一実施形態によれば、接続部29と保持部64との一方(本実施形態では保持部64)を凸部、他方(本実施形態では接続部29)をこの凸部と嵌合する凹部とすることにより、収納装置12に対して電気掃除機11を基本的に上方から差し込むワンアクションのみで容易に装着して収納できる。
【００５１】
また、電気掃除機11の自重によって接続部29と保持部64とが嵌合されるので、電気掃除機11を収納装置12に安定的に保持でき、振れを少なくできる。
【００５２】
さらに、上下方向に沿う設置面Ｐに収納装置12を取り付ける壁掛け式の収納方式とすることにより、床面に載置するための台座部が収納装置12に不要となり、収納装置12をより小型化することができる。
【００５３】
しかも、風路体16を掃除機本体15に接続した状態で保持部64が電気掃除機11の接続部29を保持することにより、電気掃除機11を収納するときに掃除機本体15から風路体16を取り外したり、収納状態から使用するときに風路体16を掃除機本体15に再接続したりするなどの煩雑な作業が不要で、電気掃除機11の使用を終えるとそのまま収納装置12に収納し、収納装置12に収納した状態から使用する際には電気掃除機11をそのまま収納装置12から取り外すことができるなど、使い勝手が向上する。
【００５４】
そして、電気掃除機11の接続部29に設けた充電端子部46に対して、収納装置12の保持部64に設けた充電端子81が保持部64での接続部29の保持によって接続されることで二次電池25を充電可能とすることにより、電気掃除機11の自重によって充電端子部46と充電端子81とが確実に接続され、二次電池25を確実に充電することができる。
【００５５】
さらに、充電ランプを備える場合には、二次電池25の充電の開始時に充電ランプを点灯させることで充電の開始を使用者に報知することにより、例えば暗い部屋などにおいても電気掃除装置10の位置を判別でき、電気掃除機11や収納装置12に居住者がぶつかることを抑制できる。
【００５６】
また、電気掃除機11を収納装置12に取り付ける際に呼び込み部65によって掃除機本体15を取付開口部71にガイドすることで、電気掃除機11を収納装置12に対して容易に装着できる。
【００５７】
さらに、収納装置12が、電気掃除機11の風路体16の先端側が設置面Ｐ側に接近するように電気掃除機11を収納するので、床ブラシ52などの設置面Ｐからの突出が抑制されてコンパクトに収納される。このため、風路体16の先端側が設置面Ｐに対して過剰に突出することがなく、居住者が足などをぶつけにくくなるなど、収納状態の電気掃除機11が使用者の生活の邪魔になりにくい。
【００５８】
特に、本実施形態の風路体16は、先端側が床ブラシ52となっているので、延長管51よりもスペースを取るため、風路体16の先端側を基端側に対して設置面Ｐ側に接近するように保持することで、床ブラシ52を備える風路体16であっても邪魔にならないようにコンパクトに収納できる。
【００５９】
しかも、風路体16の先端側の床ブラシ52が基端側に対して設置面Ｐ側に接近しつつ、床ブラシ52は設置面Ｐに接触しないので、省スペースで収納しつつ、床ブラシ52によって設置面Ｐを汚したり傷つけたりすることがない。
【００６０】
また、上記の収納状態で、集塵部22は収納空間部63の外部に位置する。具体的に、集塵部22は、取外開口部73から収納装置12の前側に露出する。
【００６１】
そこで、集塵部22に溜まった塵埃を廃棄する場合には、集塵係止部41を操作して集塵部22の上端側を本体部21から取り外し、支点部44を支点として集塵部22の上側を前方へと回動させることで集塵部22が本体部21から取り外される(図８の想像線)。このように、集塵部22は、本体部21に対して保持部64のガイドピンよりも下方の位置に支点部44にて回動可能に軸支されていることにより、集塵部22の上側を前方へと回動させたときに支点部44により受け部35に生じる反力が保持部64のガイドピンに作用しにくく、集塵部22の取り外しの際の回動によって保持部64が回動しにくい。したがって、集塵部22を取り外す際に電気掃除機11ごと収納装置12から外れてしまうことを抑制できる。また、細長いスティック型の電気掃除機11は、使用者が保持していない限り単体では不安定であり、集塵部22を取り外そうとする際に従来は壁に立て掛けたり、床面上に置いたりなどの必要があったのに対して、本実施形態では電気掃除機11を収納装置12に保持した状態で集塵部22を本体部21から取り外してこの集塵部22に溜まった塵埃を廃棄できるので、この塵埃の廃棄の際に使用者が電気掃除機11の置き場に困ったり不安定な状態で集塵部22の取り外し作業をしたりすることがない。
【００６２】
なお、取り外した集塵部22は、内部に溜まった塵埃を廃棄した後、本体部21に再度取り付ける。このとき、集塵部22は、支点部44を受け部35に挿入し、上側を後方へと本体部21に向かって回動させることにより集塵係止部41を本体部21に係止させて取り付ける。
【００６３】
このように、集塵部22の着脱の際に使用者が電気掃除機11を保持しておく必要がないから、集塵部22の着脱に両手を自由に用いることができ、作業性が良好になる。
【００６４】
また、収納状態から電気掃除機11を使用する際には、使用者がハンドル27を把持し、電気掃除機11を前方へと引っ張ると、図３に示すように、保持部64が上下方向に沿ったままの状態でガイド部66の上側ガイドレール85および下側ガイドレール86によってガイドされつつ設置面Ｐから離れるように前方へとスライドすることにより電気掃除機11が収納装置12に対して左右に倒れることなく取外開口部73から前方へと引き出されていく。そして、保持部64が前方へと所定量移動した位置にて、下側ガイドレール86の前端部よりもさらに前方に延出する上側ガイドレール85の前端部が下方に向かって屈曲していることにより、この前端部の位置までスライドした保持部64の下部がこの前端部の屈曲に沿って前方へと落ち込むことで保持部64の上側が前方下側に向かうように回動する。このため、電気掃除機11を使用者がさらに前方へと引っ張っていくことで保持部64が前方に回動し、この回動に伴って電気掃除機11の上側(ハンドル27側)が前方に回動することにより接続部29への保持部64の嵌合(充電端子部46と充電端子81との接続)が解除され、電気掃除機11が収納装置12から容易に取り外されて使用可能な状態となる。なお、電気掃除機11(接続部29)の保持を解除して接続部29から抜き取られた保持部64は、例えばばねなどの付勢手段により復帰方向に付勢することによって電気掃除機11が取り外された後に自動的に元の位置に復帰させるようにしてもよいし、使用者が手動によって元の位置(ガイド部66の後端部)に復帰させるようにしてもよい。
【００６５】
このように、保持部64の上側を設置面Ｐとは反対方向である前方向に向かって回動可能に設け、この回動により接続部29の保持を解除可能とすることにより、使用者が収納状態の電気掃除機11を基本的に前方に引っ張るのみで収納装置12から取り外すことができる。したがって、収納状態の電気掃除機11を収納装置12から取り外す際に電気掃除機11を持ち上げる必要がなく、使用者の重量的な負担を抑制でき、電気掃除機11を収納装置12に対して容易に取り外すことができる。
【００６６】
しかも、保持部64が設置面Ｐから離れる前方向へと略水平方向に沿って所定量移動した位置で保持部64の上側が設置面Ｐとは反対方向である前方向に向かって回動可能であることにより、電気掃除機11を設置面Ｐに対して充分に離した位置で保持部64を回動させることができる。そこで、保持部64が回動したときに電気掃除機11の風路体16の先端側(床ブラシ52など)が設置面Ｐに干渉することがなく、電気掃除機11を容易に収納装置12から取り外すことができる。
【００６７】
したがって、上記の電気掃除装置10では、収納装置12に対して電気掃除機11を容易に着脱できる。
【００６８】
また、電気掃除機11を収納装置12から取り外す際に電気掃除機11を移動させる方向へとガイドするガイド部66を備えることにより、電気掃除機11を収納装置12から取り外す際に左右方向の振れを抑制でき、電気掃除機11をより容易に取り外すことができる。
【００６９】
なお、上記一実施形態において、接続部29と保持部64とは、一方が凸部で他方が凹部であればよい。したがって、接続部29が凸部で、保持部64が凹部となっていてもよい。
【００７０】
また、電気掃除機11は、二次電池25を電源として内蔵したコードレス電気掃除機としたが、商用交流電源などの外部電源から電源を取る有線式の電気掃除機でもよい。
【００７１】
本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００７２】
10    電気掃除装置
11    電気掃除機
12    収納装置
15    掃除機本体
16    風路体
21    本体部
22    集塵部
23    電動送風機
25    二次電池
29    被保持部としての接続部
46    充電端子部
64    保持部
66    ガイド部
81    充電端子
Ｐ    設置面
【図１】
2018068942.tif 000003
【図２】
2018068942.tif 000004
【図３】
2018068942.tif 000005
【図４】
2018068942.tif 000006
【図５】
2018068942.tif 000007
【図６】
2018068942.tif 000008
【図７】
2018068942.tif 000009
【図８】
2018068942.tif 000010